(57)【要約】【課題】サイズの異なるバッグを使い分けるとき、バッグの幅に合わせたり、収納量に合わせてスナップで横幅を調節できるワイド調節機能付バッグインバッグを提供する。【解決手段】    バッグインバッグを外本体（１）と内本体（２）の入れ子構造で一対とし、両本体の上部開口部（３）（５）と底面（７）（８）にスナップ（４）（６）を設け、横幅調節ができるワイド調節機能付バッグインバッグを特徴とする。【選択図】図１
2022001243.tif 000002
【特許請求の範囲】
【請求項１】
右側面が開口となっており外本体前後側面（９、１１）、外本体左側面（１０）、外本体底面（１２）から構成される外本体（１）と、左側面が開口となっており、内本体前後側面（１３、１５）、内本体右側面（１４）、内本体底面（１６）から構成される内本体（２）を左右からはめ込むことで１対とし、入れ子構造により横幅を伸縮させることができ、お好みのスナップ位置でスナップを留めて固定することができるワイド調節機能付バッグインバッグ。両本体（１）（２）の上部開口部（３）（５）にスナップ（４）（６）を複数個を設け、最大の横幅で使用する時にはズレ防止のために底面（７）（８）にスナップ１個ずつ（４）（６）を設け、横幅を伸縮させることができるワイド調節機能付バッグインバッグ。
【発明の詳細な説明】
【技術分野】
【０００１】この発明は、バッグ内での収納アイテムとして、左右の入れ子構造にすることで、収納量やバッグの横幅に合わせて横幅をスナップで伸縮させるというサイズ調節ができるバッグインバッグに関するものである。
【背景技術】
【０００２】  従来、バッグインバッグはバッグ内の整理整頓、収納物を出し入れするためだけでなく、単体で持ち運びができるミニバッグということを考慮して作製されているため、大きいバッグに入れ替える時バッグインバッグ本体の大きさを変える機能はない。
【先行技術文献】
【特許文献】
【０００３】
【特許文献１】実用新案登録第３２００７５０号
【発明の概要】
【発明が解決しようとする課題】
【０００４】  小ぶりバッグで使用しているバッグインバッグをＡ４サイズバッグなど大きめのバッグに入れた場合、小さいバッグインバッグの横幅では足りなくなり、仕切りとしての役割を含めた収納ケースとしての役割は十分ではなくなる。その結果、バッグの中が整わず本来の役割であるバッグ内の整理整頓が難しくなることがある。この場合、バッグサイズに適したサイズ、特に横幅の大きいものを新たに購入しなければならず、利便性の一つであるバッグを変える時に中身の入れ替えが１回で終えることができるということを実現させるためには、同サイズのバッグに入れ替えるという条件が揃った場合にのみ有効であるという問題点がある。また、柔らかい素材のバッグインバッグの場合、ポケットなどへの収納時、形が崩れることから出し入れがしづらいという問題点もある。
本発明は、以上のような欠点を無くすためになされたものである。
【課題を解決するための手段】
【０００５】  右側面が開口となっている外本体（１）と左側面が開口となっている内本体（２）を左右からはめ込み、入れ子構造のように二重構造になっており、上部をスナップで留めて一対とするバッグインバッグ。外本体（１）の上部開口部前後両サイド内側面（３）にはスナップ凹（４）を、内本体（２）の上部開口部前後両サイド外側面（５）にはスナップ凸（６）を設け、スナップの数量分、横幅を伸縮させることができる。最大の横幅で使用する時にはズレ防止のために、外本体（１）の底面内側右端（７）にスナップ凹（４）を、内本体（２）の底面外側左端（８）にはスナップ凸（６）を設けることでズレ防止となり強度を高めている。底面のスナップは１個であるが、開口部のスナップの数は必ずしも３個である必要はない。また、底面を含めて立体的な形に作り上げることで、物の出し入れの際に本体が崩れることはなく快適なバッグ環境を提供する。
本発明は、以上の構成よりなるワイド調節機能付バッグインバッグである。
【発明の効果】  スナップを外し、入れ子構造の内側を横にスライドすることで横幅を変えることができ、バッグサイズに合わせて、また、収納量に合わせて横幅調節をすることができ、開口部のスナップの数量分のサイズ展開で使用することができる。また、柔らかい布バッグなどに形のしっかりとした入れ子構造の本発明品を使用することでバッグの形が整い使いやすさに繋がる。柔らかい素材のバッグインバッグでは味わうことのできないストレスフリーな物の出し入れが可能となる。また、本来の役割の一つであるバッグを変える時に、バッグインバッグごと入れ替えることができ、さらにはバッグの横幅サイズに合わせて伸縮させることができる。
【図面の簡単な説明】
【０００７】
【図１】  本発明の入れ子構造を示す斜視図である
【図２】  本発明の入れ子構造と底面スナップを示す外本体と内本体図である
【図３】  本発明の正面図である
【図４】  本発明の背面図である
【図５】  本発明の右側面図である
【図６】  本発明の左側面図である
【図７】  本発明の入れ子構造を示す平面図である
【図８】  本発明の底面図である
【図９】  本発明の入れ子構造を示す外本体と内本体を内側から示す図である
【図１０】  本発明の使用状態を示す参考図である
【図１１】  本発明の最大幅での使用状態を示す参考図である
【図１２】  本発明の最大幅での使用状態の底面を示す参考図である
【発明を実施するための形態】
【０００８】以下、本発明を実施するための形態について説明する。
バッグインバッグの外本体（１）と内本体（２）を設ける。
バッグインバッグの外本体（１）の開口部前後両サイド（３）にスナップ凹（４）を、内本体（２）の開口部前後両サイド（５）にスナップ凸（６）を設ける。
バッグインバッグの外本体（１）の底面内側右端（７）にスナップ凹（４）を、内本体（２）の底面外側左端（８）にスナップ凸（６）を設ける。
バッグインバッグの外本体（１）に内本体（２）を入れ込み、スナップ（４）（６）をすべて留める。サイズ調節する時にはスナップ（４）（６）をはずし、お好みのサイズにして再度スナップ（４）（６）を留める。最大幅に広げた時には、底面（７）（８）のスナップ（４）（６）もズレ防止のために留める。
本発明は、以上のような構造である。
これを使用する時は、バッグのサイズに合わせて、あるいは、収納量に合わせてスナップで横幅を調節して適したサイズにしてからバッグ内で使用する。最大幅で使用する場合には、底面のスナップを留めることでズレ防止と補強となり、安定感のある使用が可能となる。
【符号の説明】
【０００９】１  外本体
２  内本体
３  １外本体上部開口部前後両サイド内側面
４  スナップ凹
５  ２内本体上部開口部前後両サイド外側面
６  スナップ凸
７  １外本体底面内側右端
８  ２内本体底面外側左端
９  １外本体後側面
１０  １外本体左側面
１１  １外本体前側面
１２  １外本体底面
１３  ２内本体後側面
１４  ２内本体右側面
１５  ２内本体前側面
１６  ２内本体底面
【図１】
2022001243.tif 000003
【図２】
2022001243.tif 000004
【図３】
2022001243.tif 000005
【図４】
2022001243.tif 000006
【図５】
2022001243.tif 000007
【図６】
2022001243.tif 000008
【図７】
2022001243.tif 000009
【図８】
2022001243.tif 000010
【図９】
2022001243.tif 000011
【図１０】
2022001243.tif 000012
【図１１】
2022001243.tif 000013
【図１２】
2022001243.tif 000014